(57)【要約】【課題】  汎用性の高い物品収納体を提供する。【解決手段】  平面形状が略正方形の布材を用いて構成される本体部１０と、本体部１０の収納面１０Ｂに雄型の接合部３０Ａを配設しつつ、本体部１０の各角部１１〜１４に各々装着される雄型の接合具３０と、収納面１０Ｂに雌型の接合部５０Ａを配設しつつ、各角部１１〜１４に各々装着される雌型の接合具５０とを備える。雌型の接合具５０等に内蔵される永久磁石の吸着力を用いて雄型の接合部３０Ａと雌型の接合部５０Ａを着脱可能に接合し、本体部１０によって使用形態を構成する物品収納体１である。本体部１０の外縁部１０Ａを周回する方向に沿って、雄型の接合具３０と雌型の接合具５０とが交互に装着される。【選択図】    図１
2007029493.tif 000002
【特許請求の範囲】
【請求項１】
平面形状が略正方形の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする物品収納体。
【請求項２】
平面形状が略矩形の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする物品収納体。
【請求項３】
前記本体部の各角部に装着される前記雄型の接合具及び前記雌型の接合具が、該雄型の接合具及び該雌型の接合具の装着された角部を通過する対角線を基準とした対称な位置に配置されることを特徴とする請求項１又は請求項２に記載の物品収納体。
【請求項４】
平面形状が略正Ｎ角形（Ｎは、６以上の偶数である。）の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする物品収納体。
【請求項５】
前記本体部の各角部に装着される前記雄型の接合具及び前記雌型の接合具が、該雄型の接合具及び該雌型の接合具が装着された角部と、該角部から最も離間する他の角部とを通過する対角線を基準とした対称な位置に配置されることを特徴とする請求項４に記載の物品収納体。
【請求項６】
前記布材は、フェルトを用いて構成されることを特徴とする請求項１乃至請求項５の何れかに記載の物品収納体。
【請求項７】
前記雄型の接合部は、
磁性体を用いて構成されると共に、略板状に構成される基体部及び該基体部から突出する突起部と、具備する雄型の当接部を備え、
前記雌型の接合部は、
磁性体を用いて構成されると共に、前記基体部を嵌合可能、若しくは、遊入可能な第１の凹部と、前記第１の凹部の底部に設けられて前記突起部を嵌合可能、若しくは、遊入可能な第２の凹部と、を具備する雌型の当接部を備え、
前記雌型の接合具は、前記永久磁石を収納するための空間部を、前記第２の凹部の周囲に備えることを特徴とする請求項１乃至請求項６の何れかに記載の物品収納体。
【発明の詳細な説明】
【技術分野】
【０００１】
本発明は、物品収納体に関する。
【背景技術】
【０００２】
物品収納体は、通常、「容器状、皿状（トレー状）若しくは袋状等に構成された本体部」を備える。かかる物品収納体は、この本体部を展開不能に構成するタイプ（以下、「固定型」という。）の物品収納体と、この本体部を展開可能に構成するタイプ（以下、「展開型」という。）の物品収納体と、に大別される。
【０００３】
例えば、前者の「固定型の物品収納体」としては、展開不可能な箱本体（ケース本体）と、この箱本体（ケース本体）に開閉可能に被せられる蓋体（上蓋）とからなる本体部を具備する物品収納体を例示できる（以下、「従来例１」といい、特許文献１を参照）。また、後者の「展開型の物品収納体」としては、折り曲げ線が設けられた紙を用いて構成される本体部を備え、本体部の所定の部位を、この折り曲げ線を用いて折り曲げることで、トレー形状を構成する物品収納体を例示できる（以下、「従来例２」といい、特許文献２を参照）。
【特許文献１】特開平１１−１９２１１７号公報
【特許文献２】特開２００４−３５２３３０号公報
【発明の開示】
【発明が解決しようとする課題】
【０００４】
しかし、これらの従来例に係る物品収納体は、何れも、汎用性の面で問題を有している。
【０００５】
つまり、従来例１の「物品収納体」は、その形態が終始、使用形態（収納体として機能する形態の意味で用いる。）に固定され、構造が堅固であり（つまり、堅固な箱体等で構成され）、しかも、嵩張るため、一般に、時と場所を変えて自由に使用することが困難である。例えば、この「固定型の物品収納体」を、旅行カバンやビジネスバック等の限られた「空きスペース」に納めることや、所望の使用箇所（旅行先の宿舎、出張先の宿舎）に搬送して使用すること、等は困難である。従って、従来例１に代表される「固定型の物品収納体」は、通常、所定の設置箇所（自宅の居間、自宅の寝室）等で固定的に設置して使用されるため、汎用性が低くなっている。
【０００６】
また、「固定型の物品収納体」では、その使用形態（特に、収容部の形状）が、ただ一通りに固定されているため（一義的に定められているため）、複数の用途に用いることは困難である。例えば、宝石箱（宝石容器）として好適な「固定型の物品収納体」を、カード入れ（クレジットカード入れ）等、他の用途の「固定型の物品収納体」として用いることは困難である。よって、従来例１に代表される「固定型の物品収納体」においては、この点からも、汎用性が低くなっている。
【０００７】
一方、従来例２の「物品収納体」では、本体部を展開することで、時と場所を変えて自由に使用することが可能となる。
【０００８】
ところが、この従来例２に係る「物品収納体」では、本体部を紙を用いて構成するため、質感、高級感が乏しく、用途が限定される。例えば、宝石箱（宝石収納用のトレー）等の貴金属用の収納体として用いることが相応しくなく、この点から、汎用性が低くなっている。また、従来例２の「展開型の物品収納体」においても、その使用形態が、本体部の折り曲げ線によって一義的に定められるため、複数の用途で使用することが困難であり、この点からも、汎用性が低くなっている。
【０００９】
本発明は、上述の課題を解決するものであり、汎用性の高い、物品収納体を提供することを目的とする。
【課題を解決するための手段】
【００１０】
請求項１の発明の物品収納体は、
平面形状が略正方形の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする。
【００１１】
請求項１の物品収納体では、形状変化が容易で、しかも、嵩張らない布材を用いて本体部を構成するため、時と場所を変えて使用することができる。例えば、この物品収納体を、旅行カバンやビジネスバックに存在する僅かな「空きスペース（例えば、本体部の厚み分の隙間）」に入れて搬送し、所望の使用箇所（旅行先の宿舎、出張先の宿舎）等で取り出して使用することができる。従って、請求項１の物品収納体は汎用性が高くなっている。
【００１２】
また、請求項１の物品収納体では、本体部の各角部に雄型の接合部及び雌型の接合部が配設される。しかも、雄型の接合部及び雌型の接合部は、本体部の外縁部を周回する方向に沿って交互に配設されるため、「物品の収納体として好適な使用形態」を、複数通り実現することが容易である。つまり、請求項１の物品収納体によると、単に、複数通りの使用形態を実現できるというのではなく、物品の収納体として好適な使用形態（物品を収納する上で好適な容器形状、物品を収納する上で好適な皿形状、物品を収納する上で好適な袋形状、若しくは、物品を収納する上で好適な筒形状等）を複数通り実現することが容易である。この点に関して、具体例を用いて説明する。
【００１３】
即ち、請求項１の物品収納体では、本体部の各角部に雄型の接合部及び雌型の接合部が配設されるため、例えば、（１）同一の角部の雄型の接合部及び雌型の接合部を接合して、好適な使用形態（容器形状、若しくは、皿形状）を構成したり、（２）１組の隣合う角部の雄型の接合部と雌型の接合部とを接合して、好適な使用形態（容器形状、若しくは、皿形状等）を構成したり、（３）２組の隣合う角部の雄型の接合部と雌型の接合部とを接合して、好適な使用形態（皿形状等）を構成すること、（４）対向する１組の角部の雄型の接合部と雌型の接合部とを接合して、好適な使用形態（略筒形状等）を構成すること、等ができる。
【００１４】
しかも、請求項１の物品収納体では、雄型の接合部及び雌型の接合部は、本体部の外縁部を周回する方向に沿って交互に配設されるため、異なる角部の雄型の接合部と雌型の接合部とを接合する際にも｛例えば、（２）及び（３）の使用形態を実現する場合においても｝、本体部に無用の負担を掛けることがない。つまり、異なる角部の雄型の接合部と雌型の接合部とを接合する際にも、接合される接合部間の距離を短くできるため、本体部に必要以上に大きな変形を与える必要がない。そして、請求項１の物品収納体では、このように、複数の使用形態を実現しつつも、雄型の接合部と雌型の接合部とを接合するために、本体部に対して不必要な変形を与える必要がない。
【００１５】
また、請求項１の発明の物品収納体では、本体部が布材を用いて構成され、種々の形状に変形することが容易である。加えて、本体部が、対称性に富んだ平面形状を備えるため、種々の形状に変形しても、使用者に違和感を与えることなく、良好な外観を備える。よって、請求項１の物品収納体によると、物品を収納する上で無理の無い好適な形態を、複数通りに渡って実現できる。従って、請求項１の物品収納体は、この点からも汎用性が高くなる。
【００１６】
ここで、請求項１の発明の「略正方形」には、「正方形（完全な正方形）」の他に、「面取り形状とされた頂点部を備える正方形」や、「丸みが付けられた頂点部を備える正方形」等も含まれる。
【００１７】
尚、本明細書で述べる「頂点部」には、純粋な「頂点（２辺の端部を単に交差させて構成される頂点、つまり、「面取り」や「丸み付け」が行われていない頂点）」のみでなく、「面取り」や「丸み付け」が行われた頂点（２辺の端部を交差させると共に、交差部に面取りや丸み付けが行われている頂点）も含まれる。
【００１８】
請求項２の発明の物品収納体は、
平面形状が略矩形の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする。
【００１９】
請求項２の発明の物品収納体においては、本体部の平面形状が略矩形とされる点を除き、請求項１の発明と同様である。よって、請求項２の発明においても、請求項１の発明と同様な効果が得られる。
【００２０】
ここで、請求項２の発明の「略矩形」には、「矩形（完全な矩形）」の他に、「頂点部に面取りが施された矩形」や、「頂点部に丸み付けがなされた矩形」等も含まれる。尚、「略矩形」は「略正方形」の上位概念に相当する。つまり、「略矩形」には、「略正方形」の他に、「略長方形」も含まれる。また、この「略長方形」にも、「長方形（完全な長方形）」の他に、「頂点部に面取りが施された長方形」や、「頂点部に丸みが付けが施された長方形」等も含まれる
【００２１】
請求項３の発明の物品収納体は、請求項１又は請求項２に記載の物品収納体において、
前記本体部の各角部に装着される前記雄型の接合具及び前記雌型の接合具が、該雄型の接合具及び該雌型の接合具の装着された角部を通過する対角線を基準とした対称な位置に配置されることを特徴とする。
【００２２】
請求項３の発明によると、本体部の各角部において、雄型の接合具及び雌型の接合具の装着状態が対称となる。よって、本体部を種々の形状に変形しても、使用者により一層、違和感を与え難く、より良好な外観を備える使用形態が得られる。
【００２３】
請求項４の発明の物品収納体は、
平面形状が略正Ｎ角形（Ｎは、６以上の偶数である。）の布材を用いて構成される本体部と、
該本体部の表裏一方の面に雄型の接合部を配設しつつ、前記本体部の各角部に各々装着される雄型の接合具と、
該本体部の表裏一方の面に雌型の接合部を配設しつつ、前記本体部の各角部に各々装着される雌型の接合具と、
を備え、
前記雄型の接合具及び前記雌型の接合具の少なくとも一方に内蔵される永久磁石の吸着力を用いて所定の雄型の接合部と所定の雌型の接合部を着脱可能に接合し、前記本体部によって所定の使用形態を構成する物品収納体であって、
前記本体部の外縁部を周回する方向に沿って、前記雄型の接合具と前記雌型の接合具とが交互に装着されることを特徴とする。
【００２４】
請求項４の発明の物品収納体においては、本体部の平面形状が略正Ｎ角形とされる点を除き、請求項１の発明と同様である。よって、請求項４の発明においても、請求項１の発明と同様な効果が得られる。
【００２５】
ここで、請求項２の発明の「略正Ｎ角形」には、「正Ｎ角形（完全な正Ｎ角形）」の他に、「頂点部に面取りが施された正Ｎ角形」や、「頂点部に丸み付がなされた正Ｎ角形」等も含まれる。尚、この略正Ｎ角形の「Ｎ」は６以上の偶数から種々選択可能であり、例えば、「６」、「８」、「１０」、「１２」、「１４」、「１６」等を例示できる。
【００２６】
請求項５の発明の物品収納体は、請求項４に記載の物品収納体において、
前記本体部の各角部に装着される前記雄型の接合具及び前記雌型の接合具が、該雄型の接合具及び該雌型の接合具が装着された角部と、該角部から最も離間する他の角部とを通過する対角線を基準とした対称な位置に配置されることを特徴とする。
【００２７】
請求項５の発明によると、本体部の各角部において、雄型の接合具及び雌型の接合具の装着状態が対称となる。よって、本体部を種々の形状に変形しても、使用者により一層、違和感を与え難く、より良好な外観を備える使用形態が得られる。
【００２８】
各請求項の発明の物品収納体を使用形態としたときに、全ての雄型の接合部と、全ての雌型の接合部とが接合に使用されていてもよいが、全ての雄型の接合部及び全ての雌型の接合部のうちの何れかが接合に使用されていなくてもよい。また、各請求項の発明においては、本体部に装着される雄型の接合具の数と、本体部に装着される雌型の接合具の数とを同数としてもよいし、何れか一方の数が他方よりも多くされてもよい。
【００２９】
各請求項の発明において、「角部」とは、本体部において、その頂点部寄りに位置する部位を指し、雄型の接合具と、雌型の接合具とを装着可能なサイズ（面積）を有することが必要となる。例えば、図１９に示すように、本体部１０の頂点部Ｔから（１／８）Ｒ〜（１／３）Ｒの距離にある領域Ｍ（一点鎖線のハッチングで示す扇形の領域Ｍ）を、「角部」として捉えることができる。尚、図１９中の「Ｒ」は、（１）頂点部Ｔを通過する二辺ａ１、ａ２の各長さ（二辺ａ１、ａ２の長さが等しい場合）、若しくは、（２）頂点部Ｔを通過する二辺ａ１、ａ２のうちの短い方の辺の長さ（二辺ａ１、ａ２の長さが異なる場合）である。また、各「角部」には、雄型の接合具と、雌型の接合具とを各々１個ずつ装着することが好ましい。但し、各「角部」に、雄型の接合具と、雌型の接合具とを各々複数個ずつ装着してもよい。
【００３０】
尚、各請求項の発明において、接合具（雄型の接合具、及び、雌型の接合具）の装着態様を以下のように定めることが望ましい。つまり、全ての接合具（雄型の接合具、及び、雌型の接合具）の装着位置（本体部における装着位置）が、当該本体部の中心部（重心部）から等距離の位置とされていることが望ましい。具体的には、図１９に示すように、本体部１０に装着される全ての接合具（全ての雄型の接合具３０と、全ての雌型の接合具５０）と、本体部１０の中心（Ｏ）との距離が、同一の距離ｒに統一されることが望ましい。
【００３１】
請求項６の発明の物品収納体は、請求項１乃至請求項５の何れかに記載の物品収納体において、
前記布材は、フェルトを用いて構成されることを特徴とする。
【００３２】
請求項６の発明では、布材（本体部）をフェルトを用いて構成するため、本体部に変形を施すことがより一層、容易となる。このため、物品収納体の組み立て作業（展開形態にある物品収納体を、使用形態に変化させる作業）がより一層、容易となる。また、本体部の復元性が向上するため、物品収納体を展開形態としたときに、組み立て時の「折りくせ」や、折り目等が残り難くなり、物品収納体の「当該展開形態における美観」も向上する。
【００３３】
また、請求項６の発明では、布材（本体部）をフェルトを用いて構成するため、物品収納体の質感、風合い、肌触り等が向上し、物品収納体の品質が向上する。特に、本体部に衝撃吸収能力が付加させるため、各請求項に係る「物品収納体」を、貴金属（宝石等）の収納体として用いる際に有益となる。
【００３４】
請求項７の発明の物品収納体は、請求項１乃至請求項６の何れかに記載の物品収納体において、
前記雄型の接合部は、
磁性体を用いて構成されると共に、略板状に構成される基体部及び該基体部から突出する突起部と、具備する雄型の当接部を備え、
前記雌型の接合部は、
磁性体を用いて構成されると共に、前記基体部を嵌合可能、若しくは、遊入可能な第１の凹部と、前記第１の凹部の底部に設けられて前記突起部を嵌合可能、若しくは、遊入可能な第２の凹部と、を具備する雌型の当接部を備え、
前記雌型の接合具は、前記永久磁石を収納するための空間部を、前記第２の凹部の周囲に備えることを特徴とする。
【００３５】
請求項７の発明によると、突起部を第２の凹部に嵌合若しくは遊入すると共に、基体部を第１の凹部に嵌合若しくは遊入しつつ、雄型の接合部及び雌型の接合部の接合を行う。つまり、２組の凹凸部（突起部及び第２の凹部からなる凹凸部と、基体部及び第１の凹部からなる凹凸部）の嵌合若しくは遊入を行うことで、雄型の接合部及び雌型の接合部の位置合わせを円滑に行うことができる。よって、請求項７の発明によると、物品収納体の組み立て作業をより円滑に行うことができる。
【００３６】
また、２組の凹凸部の嵌合箇所若しくは遊入箇所において永久磁石の磁力を用いた吸着がなされ、雄型の接合部及び雌型の接合部が着脱自在に吸着する。つまり、磁力を用いた吸着が、２組の凹凸部の嵌合箇所若しくは遊入箇所において集中的に行われる。しかも、２組の凹凸部をそれらの軸心方向に沿って相対的に離間させるだけで、雄型の接合部及び雌型の接合部は簡単に分離する。加えて、作業者は、この２組の凹凸部を相対的に離間させる作業を、「布材で構成され、柔らかな本体部」を把持して行えばよい。換言すると、当該「離間させる作業」を、「硬質の雄型の接合具及び雌型の接合具を把持して行うこと」が必要とされない。
【００３７】
よって、請求項７の発明によると、物品収納体の展開作業（使用形態にある物品収納体において、接合中の「雄型の接合部及び雌型の接合部」間の接合を解除し、物品収納体の形態を、平面状の展開形態に戻す作業を指す。）を円滑に行うことができる。尚、この特徴は、物品収納体を、女性用に用いる場合に特に有益である。蓋し、女性の場合、ファッション性を獲得するために、「爪」を長く伸ばしていることがある。かかる女性が、硬質の雄型の接合具及び雌型の接合具を把持しようとした場合、誤って、「長い爪」にストレスを与え、破損を生じさせてしまうことがある。しかも、「長い爪」によっては、硬質の雄型の接合具及び雌型の接合具を把持する作業は困難である。
【００３８】
一方、請求項７の発明によると、かかる女性が物品収納体の展開作業を行う場合においても、柔らかな本体部を把持すれば足る。しかも、この展開作業は、本体部の複数箇所（雄型の接合具の装着箇所の周囲の箇所と、雌型の接合具の装着箇所の周囲の箇所）が相互に離間するように、当該「複数箇所」を引っ張るだけでよい。加えて、柔らかな本体部であれば、「長い爪」によっても、把持することが容易であるばかりか、「長い爪」に無用なストレスを加える可能性も低くなる。従って、請求項７の発明によると、「長い爪」の女性が物品収納体の展開作業を行う場合であっても、「長い爪」に破損を生じさせる可能性を低くできると共に、この展開作業の円滑化を図ることができる。
【００３９】
ここで、請求項７の磁性体は、強磁性体であることが望ましい。尚、請求項７の発明によると、永久磁石の磁力を用いた吸着箇所を、２組の凹凸部（接合突起部及び第２の凹部からなる凹凸部と、雄型の当接部及び第１の凹部からなる凹凸部）の嵌合箇所若しくは遊入箇所に集中できる。このため、永久磁石を小型（小粒）にしても、効率的な吸着を行うことができる。
【００４０】
従って、請求項７の発明の物品収納体は、ＩＣカード（クレジットカード）入れとして、好適に用いることができる。蓋し、請求項７の発明の物品収納体によると、永久磁石を小型（小粒）にし、当該永久磁石が、被収納物に与える磁気の影響を少なくすることができるからである。
【００４１】
また、請求項７の発明では、雌型の接合部において雄型の当接部との吸着に関与しない部分の一部若しくは全体を、非磁性体で被覆してもよい。この場合、不必要な磁気漏洩を抑制できるため、請求項７の発明の物品収納体を、ＩＣカード（クレジットカード）入れ等として、更に一層、好適に用いることができる。尚、永久磁石を収納するための空間部は、第２の凹部を周回する状態に設けられてもよいし、第２の凹部の周囲の一カ所や、第２の凹部の周囲の間隔をおいた複数箇所に設けられてもよい。
【００４２】
各請求項の発明においては、本体部を構成する「布体」に「臭い吸着性物質（臭い吸着剤）」を保持させてもよい。この場合、使用者が発する臭いの元（体臭、体液等）や、被収納物（物品収納体によって収納される物）が発する臭いの元を吸着させることができる。このため、使用者は、各請求項の発明に係る物品収納体を快適な状態で使用できる。ここで、「臭い吸着性物質」としては、（１）所謂「人工ゼオライト」の粒状物（特に、造粒物）若しくは粉状物、（２）活性炭の粒状物若しくは粉状物等の種々の吸着性物質を例示できる。そして、「人工ゼオライト」とは、例えば、石炭灰（主要な化学成分；４〜６割がＳｉＯ２、２〜３割がＡｌ２Ｏ３）の表面にゼオライトの結晶を析出させた物質である。この「人工ゼオライト」は、脱臭性能の他に、重金属（例えば、鉛等）の吸着性能等も有している。
【００４３】
この「人工ゼオライト」は、例えば、以下のように製造される。つまり、石炭灰の非結晶部分を苛性ソーダの強アルカリにより溶出させ、所定の槽内（例えば、オートクレープ槽内）でゼオライトの結晶化の反応を行う。これにより、ガラス質であった石炭灰の表面を多孔質に変化させる。この後、余分な苛性ソーダを洗浄すると共に、結晶格子に引きつけられたＮａイオンを必要によリ、Ｃａイオンに交換し、その際にｐＨを中性にする。最後に脱水、乾燥することにより灰色微粉末の「人工ゼオライト」が製造される。この「人工ゼオライト」を、例えば、２〜５ｍｍ程度の大きさに造粒して用いることもできる。
【００４４】
また、この「臭い吸着性物質（臭い吸着剤）」は、粒状物若しくは粉状物であることが望ましい。この場合、臭い吸着剤を本体部全体に満遍なく、保持（担持）させることができるからである。
【発明の効果】
【００４５】
以上のように、本各発明によると、汎用性の高い物品収納体が得られる。
【発明を実施するための最良の形態】
【００４６】
次に、本各発明に係わる「物品収納体」の最良の形態（以下、「実施例」という。）を図面に従って詳細に説明する。
【００４７】
（１）物品収納体の構成
【００４８】
先ず、図１〜図１０を用いて、本実施例に係る物品収納体（以下、「本収納体」という。）１の構成について説明する。本収納体１は、図１及び図２に示すように、本体部１０と、雄型の接合具３０と、雌型の接合具５０とを備えている。
【００４９】
このうち、本体部１０は、図３（ａ）に示すように、平面形状が正方形（例えば、１辺ａ＝２２０ｍｍ）で、厚みの薄い（例えば、厚みｔ＝２ｍｍ）の布材を用いて構成されている。この布材は、フェルト（羊毛を用いたフェルト）を用いて構成されている。尚、このフェルト製の本体部１０においては、１辺ａの長さ範囲を、１００ｍｍ〜２８０ｍｍ（特に好ましくは、２００ｍｍ〜２５０ｍｍ）の範囲とすることが望ましい。１辺ａの長さが、１００ｍｍ未満であると、本収納体１の収納能力（本収納体１の組み立て時の容積）を確保することが困難となるおそれがある。一方、１辺ａの長さが、２８０ｍｍを超えると、本収納体１の組み立て時において、本収納体１の組み立て形態（使用形態）を維持することが困難となるおそれがあるためである。
【００５０】
図３（ａ）に示すように、本体部１０の４つの角部１１〜１４には、各々雄型の接合具３０及び雌型の接合具５０の装着箇所Ｓが設けられている。具体的には、本実施例では、本体部１０の各頂点部１１Ａ〜１４Ａ寄りに位置する扇型の領域部Ｄ（二点鎖線のハッチング表示で示す扇型の領域部Ｄ）、つまり、各頂点部１１Ａ〜１４Ａから４５ｍｍの距離にある扇型の領域部Ｄを、角部１１〜１４と定義する。そして、これらの角部１１〜１４（領域部Ｄ）において、各頂点部１１Ａ〜１４Ａから離間する部位が、この装着箇所Ｓとされている。
【００５１】
本実施例では、本体部１０において、各頂点部１１Ａ〜１４Ａから、４５ａ／２２０の距離にある領域部Ｄを角部１１〜１４と定め、この領域部Ｄにおいて、各頂点部１１Ａ〜１４Ａから離間する部位（各頂点部１１Ａ〜１４Ａから最も、遠ざかる部位）を装着箇所Ｓと定めたが、角部１１〜１４及び装着箇所Ｓの具体的な態様を適宜、変更することもできる。但し、角部１１〜１４（領域部Ｄ）の範囲を、本体部１０の各頂点部１１Ａ〜１４Ａから、ａ／１０〜ａ／３の距離にある範囲（より好ましくは、ａ／８〜ａ／５の距離にある範囲）に定めると共に、各頂点部１１Ａ〜１４Ａから離間する部位（各頂点部１１Ａ〜１４Ａから最も、遠ざかる部位）を装着箇所Ｓと定めることが望ましい。
【００５２】
図３（ａ）に示すように、各装着箇所Ｓにおいては、当該各装着箇所Ｓ（当該各装着箇所Ｓを含む角部１１〜１４）を通過する対角線Ｋ１（Ｋ２）を基準として対称な位置に装着孔１５を各々備えている。これらの装着孔１５は、図３（ｂ）に示すように、本体部１０を肉厚方向に貫通している。また、本体部１０には、その外縁部１０Ａを周回する方向に沿って、合計８個の装着孔１５が設けられた状態となっている。
【００５３】
各装着箇所Ｓ（角部１１〜１４）では、一方の装着孔１５を用いて雄型の接合具３０が装着され、他方の装着孔１５を用いて雌型の接合具５０が装着されている。つまり、各装着箇所Ｓにおいては、当該各装着箇所Ｓを通過する対角線Ｋ１（Ｋ２）を基準とした対称な位置に、雄型の接合具３０と雌型の接合具５０とが装着されている。但し、本実施例では、本体部１０の外縁部１０Ａを周回する方向に沿って形成された「８個の装着孔１５」が、以下のように用いられる。
【００５４】
即ち、図３（ａ）に示すように、本体部１０の外縁部１０Ａを周回する方向に沿って、雄型の接合具３０を装着するための装着孔１５（以下、「雄用の装着孔１５Ａ」ということがある。）と、雌型の接合具５０を装着するための装着孔１５（以下、「雌用の装着孔１５Ｂ」ということがある。）と、が交互に並んだ状態となっている。換言すると、本体部１０の一方の面１０Ｂを観察すると、各装着箇所Ｓにおいては、雄用の装着孔１５Ａと、雌用の装着孔１５Ｂとが、本体部１０の外縁部１０Ａを時計の回転方向に周回する方向（以下、単に、「時計回転方向」という。」に沿って併設されている。尚、全ての装着孔１５Ａ、１５Ｂの形成箇所において、「本体部１０の中心部｛図３（ａ）の符号Ｏを参照｝」からの距離が等しくされている。また、本体部１０は、図３（ｂ）に示すように、表裏一対の面１０Ｂ、１０Ｃを備えるが、以下の説明においては、「本体部１０の一方の面（つまり、表面）１０Ｂ」を「収納面１０Ｂ」と称し、本体部１０において、収納面１０Ｂの裏側に位置する面１０Ｃを、「外装面１０Ｃ」と称する。
【００５５】
次に、図４〜図１０を用いて、雄型の接合具３０及び雌型の接合具５０に関し、簡単に説明する。先ず、雌型の接合具５０は、図４に示すように、取付ベース部材５１と、外郭部材５２と、内部スペーサ部材５３と、永久磁石体（永久磁石）５５と、を備えている。また、雄型の接合具３０は、雌型の接合具５０を構成する「取付ベース部材５１」と、同様な部材によって構成されている。尚、本実施例では、取付ベース部材５１と、外郭部材５２と、取付用スペーサ部材５３と、雄型の接合具３０とを強磁性体（鉄、ニッケル、若しくは、コバルト等）によって構成するが、雄型の接合具３０及び雌型の接合具５０の主要部のみを強磁性体で構成し、その他の部分を、非磁性体によって構成してもよい。この点に関しては後述する。
【００５６】
取付ベース部材５１は、図５に示すように、ベース部材本体５１ａと、取付用スペーサ５１ｂと、取付ピン５１ｃとを備えている。尚、本実施例では、前述の如く、取付ベース部材５１全体を強磁性体で構成したが、ベース部材本体５１ａのみを、強磁性体で構成してもよい。
【００５７】
ベース部材本体５１ａは、略円板状に構成されると共に、一方の面（表面）の軸心位置から、略円柱状の吸着用突起部５１１ａを突出させ、他方の面（裏面）の軸心位置から、略円柱状の取付用突起部５１２ａを突出させている。また、取付用スペーサ５１ｂは、肉厚の薄いリング状の円板を用いて構成され、その軸心位置には、取付用突起部５１２ａを遊入可能な貫通孔５１１ｂを備えている。更に、取付ピン５１ｃは、略円板状の頭部５１１ｃと、頭部５１１ｃの軸心位置から突出する軸部５１２ｃとを備えている。
【００５８】
また、この軸部５１２ｃには、その突端面で開口する取付穴５１３ｃが設けられている。この取付穴５１３ｃの内径は、取付用突起部５１２ａの外径よりも小さくされると共に、取付穴５１３ｃの深さ（つまり、軸部５１２ｃの軸心方向に沿った全長）は、取付用突起部５１２ａの全長（取付用突起部５１２ａの軸心方向に沿った全長）よりも小さくされている。
【００５９】
外郭部材５２は、図６に示すように、強磁性体を、有底の略円筒体に加工して構成されるものである。つまり、外郭部材５２は、円筒状に構成される周壁部５２ａと、周壁部５２ａの一方の端部５２１ａ（軸心方向に沿った一方の端部）に設けられた天板部５２ｂと、周壁部５２ａの他方の端部５２２ａ（軸心方向に沿った他方の端部）から延設された係止部５２ｃとを備えている。
【００６０】
天板部５２ｂと、周壁部５２ａの一方の端部５２１ａとの境界部は、折り返し部５２ｄとされている。このため、天板部５２ｂの一方の面５２１ｂ（つまり、天板部５２ｂの表面部）は、周壁部５２ａの一方の端部５２１ａよりも、後退する位置（周壁部５２ａの他方の端部５２２ａ側の位置）に設けられている。つまり、外郭部材５２の一端側（軸心方向に沿った一端側）に、天板部５２ｂの一方の面５２１ｂ（つまり、天板部５２ｂの表面部）を底面とする凹部５２ｅを形成している。そして、この凹部５２ｅは、第１の凹部の具体例を構成する。尚、以下の説明において、当該「凹部５２ｅ」を「第１の凹部５２ｅ」と称する。
【００６１】
この第１の凹部５２ｅは、後述する「接合具本体１５１ａ」を遊入状態で収納可能なサイズとされている。また、第１の凹部５２ｅの底部の中心位置（つまり、天板部５２ｂの軸心位置）には、貫通孔５２２ｂが設けられている。この貫通孔５２２ｂは、天板部５２ｂの表裏を貫通する状態に設けられると共に、この貫通孔５２２ｂの内径は、後述する「吸着用突起部１５１１ａ」を遊びを持った状態で挿入可能な大きさとされている。また、天板部５２ｂの他方の面５２３ｂ（つまり、天板部５２ｂの裏面部）において貫通孔５２２ｂを包囲する部位からは、円筒部５２４ｂが突出している。
【００６２】
係止部５２ｃは、周壁部５２ａの他方の端部５２２ａにおいて、周方向に沿って等間隔な４カ所に各々設けられている。つまり、周壁部５２ａの他方の端部５２２ａを周回する方向に沿って、９０度間隔に４個設けられている。これらの係止部５２ｃは、平面形状が略矩形状で、折り返し可能な「片（即ち、係止片）」によって構成されている。
【００６３】
内部スペーサ部材５３は、肉厚の薄いリング状の円板を用いて構成され、その軸心位置には、円筒部５２４ｂを遊入可能な貫通孔５３ａを備えている。また、永久磁石体５５は、略リング形状に形成された永久磁石によって構成されている。この永久磁石体５５は、軸心位置に、前述の円筒部５２４ｂを遊入可能な貫通孔５５ａを備えている。また、永久磁石体５５の全長（軸心方向に沿った長さ）は、外郭部材５２の内部に収納可能な長さとされている。
【００６４】
雄型の接合具３０は、前述のように、この取付ベース部材５１と、同様な部材によって構成されている。つまり、図４において括弧内の符号を用いて説明すると、この雄型の接合具３０は、ベース部材本体５１ａと同様な構成を備える接合具本体１５１ａと、取付用スペーサ５１ｂと同様な構成を備える取付用スペーサ１５１ｂと、取付ピン５１ｃと同様な構成を備える取付ピン１５１ｃと、を備えている。つまり、雄型の接合具本体１５１ａも、吸着用突起部５１１ａと同様な吸着用突起部１５１１ａと、取付用突起部５１２ａと同様な取付用突起部１５１２ａを備える。また、取付用スペーサ１５１ｂも、貫通孔５１１ｂと同様な貫通孔１５１１ｂを備えている。更に、取付ピン１５１ｃも、頭部５１１ｃと同様な頭部１５１１ｃと、軸部５１２ｃと同様な軸部１５１２ｃと、を備え、軸部１５１２ｃには、取付穴５１３ｃと同様な取付穴１５１３ｃが設けられている。
【００６５】
雄型の接合具３０及び雌型の接合具５０は、各装着箇所Ｓにおいて、装着孔１５、１５（雄用の装着孔１５Ａ、雌用の装着孔１５Ｂ）を用いて装着されている。この雄型の接合具３０及び雌型の接合具５０の装着は、例えば、以下の手順で行われる。
【００６６】
つまり、各装着箇所Ｓでは、雄用の装着孔１５Ａを用いて、雄型の接合具３０が装着されている。即ち、図４において括弧内の符号を用いて説明すると、各装着箇所Ｓにおいては、本体部１０の収納面１０Ｂの側から、取付用突起部１５１２ａを雄用の装着孔１５Ａに挿入し、接合具本体１５１ａの裏面を、本体部１０の収納面１０Ｂに当接させる。これにより、取付用突起部１５１２ａが、その突端側を先頭に、本体部１０の外装面１０Ｃから突出する。そして、取付用突起部１５１２ａを、その突端を先頭に、取付用スペーサ１５１ｂの貫通孔１５１１ｂに挿通させつつ、取付用スペーサ１５１ｂを、本体部１０の外装面１０Ｃに当接させる。
【００６７】
この後、取付用突起部１５１２ａの突端と、取付ピン１５１ｃの取付穴１５１３ｃとを対向させ、取付用突起部１５１２ａの突端側を取付穴１５１３ｃに挿入する。更に、雄型の接合具３０の軸方向に沿った両端部を、治具によって把持しつつ、雄型の接合具３０に軸方向に沿った圧縮力を加えると、取付用突起部１５１２ａが取付穴１５１３ｃに圧入される。この際、取付ピン１５１ｃの軸部１５１２ｃの突端側が軸方向に圧縮されると共に、適宜、破断部を形成しつつ、半径外側方向に拡大する。これにより、雄型の接合具３０の「カシメ固定」を完了すると、各装着箇所Ｓにおいて、雄用の装着孔１５Ａの周囲に位置する部位が、取付用スペーサ１５１ｂを介在させた状態で、接合具本体１５１ａと、取付ピン１５１ｃの頭部１５１１ｃとで挟持され、雄型の接合具３０の装着を終了する。
【００６８】
このように、各装着箇所Ｓに雄型の接合具３０が装着されると、図４に示すように、本体部１０の収納面１０Ｂに、接合具本体１５１ａが配設される。そして、この接合具本体１５１ａによって、雄型の接合部３０Ａが構成されると共に、「雄型の当接部３０Ｂ」が構成される。つまり、接合具本体１５１ａのうちで、吸着用突起部１５１１ａを除いた円板状の部分によって基体部３０Ｃが構成され、吸着用突起部１５１１ａによって、突起部３０Ｄが構成される。
【００６９】
また、各装着箇所Ｓでは、図４に示すように、雌用の装着孔１５Ｂを用いて、雌型の接合具５０が装着されている。但し、この雌型の接合具５０の装着に際しては、先ず、取付ベース部材５１が、本体部１０に装着されるが、この取付ベース部材５１は、前述の雄型の接合具３０と同様な部材であり、その装着の手順も、雄型の接合具３０の装着の手順と同様である。即ち、図５に示すように、各装着箇所Ｓにおいては、本体部１０の収納面１０Ｂの側から、取付用突起部５１２ａを雌用の装着孔１５Ｂに挿入し、ベース部材本体５１ａの裏面を、本体部１０の収納面１０Ｂに当接させる。そして、取付用突起部５１２ａを、その突端を先頭に、取付用スペーサ５１ｂの貫通孔５１１ｂに挿通させつつ、取付用スペーサ５１ｂを、本体部１０の外装面１０Ｃに当接させる。
【００７０】
この後、取付用突起部５１２ａの突端と、取付ピン５１ｃの取付穴５１３ｃとを対向させ、取付用突起部５１２ａの突端側を取付穴５１３ｃに挿入する。更に、取付ベース部材５１の軸方向に沿った両端部を、治具によって把持しつつ、取付ベース部材５１に軸方向に沿った圧縮力を加え、取付ベース部材５１の「カシメ固定」を完了すると、取付ベース部材５１の装着を完了する。
【００７１】
尚、本実施例では、説明の便宜を考慮して、雄型の接合具３０の装着作業と、取付ベース部材５１の装着作業とを別個に説明したが、雄型の接合具３０及び取付ベース部材５１は、元々、同一の部材（同一構造の部材）である。このため、現実の装着作業では、本体部１０の全ての取付孔１５（１５Ａ、１５Ｂ）に、取付ベース部材５１が装着される。そして、この装着された取付ベース部材５１の使い分けを行えばよい。つまり、時計回転方向に沿って装着された８個の取付ベース部材５１を、この時計回転方向に沿って交互に使い分ければよい。つまり、「雄型の接合具３０として使用される取付ベース部材５１」と、「雌型の接合具５０を構成する取付ベース部材５１」と、が時計回転方向に沿って交互に並んでいると捉えて、取付ベース部材５１の使い分けを行えばよい。但し、雄型の接合具３０と、「雌型の接合具５０を構成する取付ベース部材５１」とを構造が異なる部材とすることもできる。
【００７２】
更に、雌型の接合具５０を構成する取付ベース部材５１には、外郭部材５２と、内部スペーサ部材５３と、永久磁石体（永久磁石）５５と、が以下のように装着されている。先ず、図６に示すように、外郭部材５２の内部空間部（図６の「内部空間部５２ｋ」を参照）に、内部スペーサ部材５３と、永久磁石体（永久磁石）５５とをこの順で挿入する。この挿入により、内部スペーサ部材５３の貫通孔５３ａに円筒部５２４ｂが挿入されると共に、永久磁石体５５の貫通孔５５ａの一部（天板部５２ｂ側に位置する端面側の部分）に円筒部５２４ｂが進入し、内部スペーサ部材５３と、永久磁石体５５と、外郭部材５２とは同軸状に位置合わせされる。尚、このとき、永久磁石体５５において、天板部５２ｂと離間する位置に存在する端面は、周壁部５２ａの他方の端部５２２ａと略面一となる。
【００７３】
この後、内部スペーサ部材５３及び永久磁石体５５を内蔵する外郭部材５２を、雌型の接合具５０を構成する取付ベース部材５１に装着する。この装着作業においては、先ず、図６に示すように、周壁部５２ａの他方の端部５２２ａを、本体部１０の収納面１０Ｂの側に向けつつ、この周壁部５２ａの他方の端部５２２ａを、取付ベース部材５１（雌型の接合具５０を構成するもの）と同軸状に位置合わせする。そして、この周壁部５２ａの他方の端部５２２ａを、本体部１０の収納面１０Ｂに近づける。更に、係止部５２ｃを、折り込みつつ（周壁部５２ａの半径内側方向に折り込みつつ、取付ベース部材５１と、本体部１０の収納面１０Ｂとの間に挿入すると、図４に示すように、外郭部材５２が雌型の接合具５０を構成する取付ベース部材５１に係止される。これにより、雌型の接合具５０の装着を完了する。
【００７４】
このように、各装着箇所Ｓへの雌型の接合具５０の装着を完了すると、本体部１０の収納面１０Ｂに、ベース部材本体５１ａと、内部スペーサ部材５３と、永久磁石体５５と、外郭部材５２とが配設される。そして、図４に示すように、ベース部材本体５１ａと、内部スペーサ部材５３と、永久磁石体５５と、外郭部材５２とによって、雌型の接合部５０Ａが構成される。また、雌型の接合具５０の装着を完了すると、内部スペーサ部材５３及び永久磁石体５５は、天板部５２ｂと、取付ベース部材５１で挟持される。
【００７５】
このように装着された雌型の接合具５０においては、天板部５２ｂの表面側（収納面１０Ｂから離間する面の側）に、前述の基体部３０Ｃを嵌合可能な第１の凹部５２ｅが配設される。そして、第１の凹部５２ｅの底部５２１ｅにおいて雌型の接合具５０の軸心を通過する位置には、前述の突起部３０Ｄを嵌合可能な第２の凹部５３ｅが形成される。尚、この第２の凹部５３ｅは、円筒部５２４ｂによって周壁部の一部を構成しつつ、底部を取付ベース部材５１の吸着用突起部５１１ａの突端部によって構成している。
【００７６】
本実施例では、図４に示すように、各装着箇所Ｓに雌型の接合具５０が装着されると、第１の凹部５２ｅ及び第２の凹部５３ｅが、本体部１０の収納面１０Ｂから離間する方向に開口する。そして、この第１の凹部５２ｅ及び第２の凹部５３ｅによって、「雌型の当接部５０Ｂ」の具体例を構成する。尚、本実施例では、全ての接合具３０、５０の装着箇所において、「本体部１０の中心部（図２の符号Ｏを参照）」からの距離が等しくされている。
【００７７】
このように、本体部１０装着された雄型の接合具３０と、雌型の接合具５０との接合は以下のように行われる。先ず、図４に示すように、雄型の当接部３０Ｂと、雌型の当接部５０Ｂとを同軸状に対向させる。そして、図７に示すように、雄型の当接部３０Ｂを雌型の当接部５０Ｂに嵌合すると、雌型の当接部５０Ｂから生ずる吸引力（永久磁石体５５の磁力を原因とする吸引力）によって、雄型の当接部３０Ｂが雌型の当接部５０Ｂに吸着され、雄型の接合具３０と、雌型の接合具５０との接合を完了する。
【００７８】
本実施例においては、本体部１０を柔軟性が高く、変形が容易なフェルトを用いて構成するため、雄型の接合具３０及び雌型の接合具５０の接合手順として、以下の２通りの手順を選択できる。次に、この手順について簡単に説明する。
【００７９】
先ず、第１の手順（以下、「第１の接合態様」という。）は、同一の装着箇所Ｓに存在する雄型の接合具３０（雄型の接合部３０Ａ）及び雌型の接合具５０（雌型の接合部５０Ａ）を接合する場合のみならず、異なる装着箇所Ｓに存在する雄型の接合具３０（雄型の接合部３０Ａ）及び雌型の接合具５０（雌型の接合部５０Ａ）を接合する場合にも好適に用いられる。この第１の接合態様は、本体部１０を「谷折り」して所望の雄型の接合部３０Ａ及び雌型の接合部５０Ａを接合する接合態様である。尚、以下の説明において、「谷折り」及び「山折り」は、収納面１０Ｂを基準とするものである。つまり、収納面１０Ｂが凹状となる折方を「谷折り」と称し、収納面１０Ｂが凸状となる折方を「谷折り」と称する。
【００８０】
この「第１の接合態様」は、図８（ａ）に示すように、本体部１０を、接合対象となる雄型の接合部３０Ａ及び雌型の接合部５０Ａの中間の部位で「谷折り」し、当該雄型の接合部３０Ａの雄型の当接部３０Ｂと、当該雌型の接合部５０Ａの雌型の当接部５０Ｂとを吸着させる接合態様である。
【００８１】
この第１の接合態様に関し、具体例を用いて更に詳細に説明する。例えば、同一の装着箇所Ｓに存在する雄型の接合具３０（雄型の接合部３０Ａ）及び雌型の接合具５０（雌型の接合部５０Ａ）を接合する場合には、図８（ｂ）に示すように、対象となる装着箇所Ｓを、本体部１０の対角線Ｋ１（Ｋ２）を基準に谷折りする。これにより、雄型の接合部３０Ａ及び雌型の接合部５０Ａとが同軸状に対向するため、雄型の接合具３０及び雌型の接合具５０の接合が円滑に行われる。
【００８２】
一方、第２の手順（以下、「第２の接合態様」という。）は、主に、同一の装着箇所Ｓに存在する雄型の接合具３０（雄型の接合部３０Ａ）及び雌型の接合具５０（雌型の接合部５０Ａ）を接合する場合に好適に用いられる。この第２の接合態様は、図９（ａ）に示すように、対象となる装着箇所Ｓを「山折り」した後、この装着箇所Ｓを、当該「山折り」方向とは直交する方向に「谷折り」する。これにより、角部１１（若しくは、１２〜１４の何れか）において、本体部１０の中心部（Ｏ）側に位置する部位によって、略Ｕ字状に屈曲する部位（以下、「Ｕ字状屈曲部」という。）Ｕが形成される。そして、「第２の接合態様」は、このＵ字状屈曲部Ｕの内側において、雄型の接合具３０（雄型の接合部３０Ａ）及び雌型の接合具５０（雌型の接合部５０Ａ）を接合することを特徴とする。
【００８３】
この第２の接合態様に関し、具体例を用いて更に詳細に説明する。例えば、図９（ｂ）及び図１０（ａ）に示すように、対象となる装着箇所Ｓ（接合対象となる接合部３０Ａ、５０Ａが存在する装着箇所Ｓ）を「山折り」する。この際、「山折り」の基準線１０ｋは、装着箇所Ｓの両脇に位置する本体部１０の２辺１０ｍ、１０ｎと共に、直角二等辺三角形を形成する。しかも、接合対象となる接合部３０Ａ、５０Ａの配設位置は、基準線１０ｋよりも、本体部１０のより外縁部１０Ａ側とされる。そして、この山折りを実行すると、図１０（ａ）の矢印「Ｙ１」に示すように、装着箇所Ｓ及び「接合対象となる接合部３０Ａ、５０Ａ」は、本体部１０の外装面１０Ｃの側に屈曲する状態とされる。
【００８４】
この山折りの後、図１０（ｂ）に示すように、本体部１０を、対象となる装着箇所Ｓを通過する対角線Ｋ１（若しくは、Ｋ２）を基準に谷折りにし、当該装着箇所Ｓ（同一の装着箇所Ｓである。）に存在する雄型の接合具３０（雄型の接合部３０Ａ）及び雌型の接合具５０（雌型の接合部５０Ａ）を接合する。このとき、図９（ａ）等に示すように、本体部１０において、基準線１０ｋに相当する部位が、略Ｕ字状に屈曲し、Ｕ字状屈曲部Ｕを形成する。また、この接合の際には、雄型の接合部３０Ａ及び雌型の接合部５０Ａとが同軸状に対向するため、雄型の接合具３０及び雌型の接合具５０の接合作業が円滑に行われる。
【００８５】
尚、第２の接合態様を用いると、図１１に示すように、角部１１（若しくは、１２〜１４の何れか）において、雄型の接合部３０Ａ及び雌型の接合部５０Ａの接合箇所Ｒよりも、本体部１０の頂点１１Ａ（若しくは、１２Ａ〜１４Ａの何れか）側の部位を、当該接合箇所Ｒよりも下方に垂れ下がった「垂れ下がり部Ｔ」とする。しかも、角部１１（若しくは、１２〜１４の何れか）において、接合部３０Ａ及び雌型の接合部５０Ａの接合箇所Ｒよりも、本体部１０の中心部側の部位を、Ｕ字状屈曲部Ｕとする。つまり、この第２の接合態様では、フェルトを用いて構成される本体部１０の柔軟性を用いつつ、特殊な接合態様を実現できる。
【００８６】
本収納体１においては、「第１の接合態様」及び「第２の接合態様」のうちの何れを実行する場合においても、突起部３０Ｄを第２の凹部５３ｅに嵌合すると共に、基体部３０Ｃを第１の凹部５２ｅに嵌合しつつ、雄型の接合部３０Ａ及び雌型の接合部５０Ａの接合を行う。つまり、２組の凹凸部（突起部３０Ｄ及び第２の凹部５３ｅからなる凹凸部と、基体部３０Ｃ及び第１の凹部５２ｅからなる凹凸部）の嵌合を行うことで、雄型の接合部３０Ａ及び雌型の接合部５０Ａの位置合わせを円滑に行うことができる。よって、本実施例によると、本収納体１の組み立て作業をより円滑に行うことができる。
【００８７】
また、２組の凹凸部の嵌合箇所において永久磁石体５５の磁力を用いた吸着がなされ、雄型の接合部３０Ａ及び雌型の接合部５０Ａが着脱自在に吸着する。つまり、磁力を用いた吸着が、２組の凹凸部の嵌合箇所において集中的に行われる。しかも、２組の凹凸部をそれらの軸心方向に沿って相対的に離間させるだけで、雄型の接合部３０Ａ及び雌型の接合部５０Ａは簡単に分離する。加えて、この２組の凹凸部を、相対的に離間させる作業は、作業者がフェルトで構成され、柔らかな本体部１０を把持して行えばよい（硬質の雄型の接合具３０及び雌型の接合具５０を把持して行うことは必ずしも、必要されない。）。よって、本実施例によると、本収納体１の展開作業を円滑に行うことができる。
【００８８】
（２）本収納体１の使用形態
【００８９】
次に、本収納体１の使用形態について、図１２〜図１７を用いて説明する。先ず、図１２は、本収納体１の「第１の使用形態」を示している。この第１の使用形態では、本収納体１を構成する全「装着箇所Ｓ」において、同一の装着箇所Ｓに存在する雄型の接合具３０（雄型の接合部３０Ａ）及び雌型の接合具５０（雌型の接合部５０Ａ）同士を「第１の接合態様」を用いて接合している。
【００９０】
この第１の使用形態によって、底板部１ａと、その周縁部から立ち上げられた周壁部１ｂと、を備える「トレー形状」とされる。この「第１の使用形態」は、宝石Ｈ等を収納するための収納体１等として好適に使用される。
【００９１】
図１３は、本収納体１の「第２の使用形態」を示している。この第２の使用形態では、本収納体１を構成する全「装着箇所Ｓ」において、同一の装着箇所Ｓに存在する雄型の接合具３０（雄型の接合部３０Ａ）及び雌型の接合具５０（雌型の接合部５０Ａ）同士を「第２の接合態様」を用いて接合している。
【００９２】
この第２の使用形態によっても、底板部１ｃと、その周縁部から立ち上げられた周壁部１ｄと、を備える「トレー形状」とされる。この「第２の使用形態」も、「第１の使用形態」と同様に、宝石Ｈ等を収納するための収納体１等として好適に使用される。但し、「第２の使用形態」と「第１の使用形態」は、接合具３０、５０の接合態様が異なるため、異なる外観を呈する。
【００９３】
図１４は、本収納体１の「第３の使用形態」を示している。この第３の使用形態では、本収納体１を構成する全「装着箇所Ｓ」において、同一の装着箇所Ｓに存在する雄型の接合具３０（雄型の接合部３０Ａ）及び雌型の接合具５０（雌型の接合部５０Ａ）同士を接合している。但し、第３の使用形態では、本体部１０の一方の対角線Ｋ１（若しくは、Ｋ２）に沿った両端側に位置する装着箇所Ｓにおいて、雄型の接合具３０（雄型の接合部３０Ａ）及び雌型の接合具５０（雌型の接合部５０Ａ）を、「第１の接合態様」を用いて接合している。また、本体部１０の他方の対角線Ｋ２（若しくは、Ｋ１）に沿った両端側に位置する装着箇所Ｓにおいて、雄型の接合具３０（雄型の接合部３０Ａ）及び雌型の接合具５０（雌型の接合部５０Ａ）を、「第２の接合態様」を用いて接合している。
【００９４】
この第３の使用形態によって、底板部１ｅと、その周縁部から立ち上げられた周壁部１ｆと、を備える「トレー形状」とされる。この「第３の使用形態」も、宝石Ｈ等を収納するための収納体１等として好適に使用される。但し、「第３の使用形態」では、接合具３０、５０の接合態様として異なる態様を意図的に混在させているため、「第１の使用形態」や「第２の使用形態」とは、異なる外観を呈する。
【００９５】
図１５は、本収納体１の「第４の使用形態」を示している。この第４の使用形態では、本収納体１を構成する３つの「装着箇所Ｓ」において、同一の装着箇所Ｓに存在する雄型の接合具３０（雄型の接合部３０Ａ）及び雌型の接合具５０（雌型の接合部５０Ａ）同士を「第１の接合態様」を用いて接合している。そして、残りの１つの「装着箇所Ｓ」においては、雄型の接合具３０（雄型の接合部３０Ａ）及び雌型の接合具５０（雌型の接合部５０Ａ）の接合を行っていない。尚、この「第４の使用形態」において、雄型の接合具３０、５０の接合態様として、「第１の接合態様」を用いてもよい。
【００９６】
この第４の使用形態では、底板部１ｇと、２辺から立ち上げられた壁部１ｈと、を備える「トレー形状」とされる。この「第４の使用形態」も、宝石Ｈ等を収納するための収納体１等として好適に使用される。但し、この第４の使用形態は、底板部１ｇの１つの対角線方向を基準として一方の側を、壁部１ｈが存在しない、開放部１ｋとする。このため、この第４の使用形態によると、使用者は、収納体１の上方からに加えて、側方からも、被収納物を目視することができる。
【００９７】
図１６は、本収納体１の「第５の使用形態」を示している。この第５の使用形態では、本収納体１を構成する全「装着箇所Ｓ」において、異なる装着箇所Ｓに存在する雄型の接合具３０（雄型の接合部３０Ａ）及び雌型の接合具５０（雌型の接合部５０Ａ）同士を、「第１の接合態様」を用いて接合している。具体的には、本体部１０の１つの辺１０ｐの両脇に位置する雄型の接合具３０（雄型の接合部３０Ａ）及び雌型の接合具５０（雌型の接合部５０Ａ）同士を、「第１の接合態様」を用いて接合している。また、本体部１０において、辺１０ｐと対向する位置の辺１０ｑの両脇に位置する雄型の接合具３０（雄型の接合部３０Ａ）及び雌型の接合具５０（雌型の接合部５０Ａ）同士も、「第１の接合態様」を用いて接合している。
【００９８】
この第５の使用形態によって、本収納体１は両端に開口部５Ａ、５Ａを備える略筒形状とされる。この「第５の使用形態」は、円筒状等に巻き込まれた紙類（手紙や、請求書、納品書等の取引書類等）を収納するための収納体１等として好適に使用される。
【００９９】
図１７は、本収納体１の「第６の使用形態」を示している。この第６の使用形態では、先ず、本体部１０を、その一方の対角線Ｋ２（若しくは、Ｋ１）を基準に折り込む。そして、本体部１０の他方の対角線Ｋ１（若しくは、Ｋ２）の一端側に位置する角部１１（若しくは、１２）の装着箇所Ｓに存在する雄型の接合具３０（雄型の接合部３０Ａ）と、当該「他方の対角線Ｋ１（若しくは、Ｋ２）」の他端側に位置する角部１３（若しくは、１４）の装着箇所Ｓに存在する雌型の接合具５０（雌型の接合部５０Ａ）を接合する。また、当該「他方の対角線Ｋ１（若しくは、Ｋ２）」の一端側に位置する角部１１（若しくは、１２）の装着箇所Ｓに存在する雌型の接合具５０（雌型の接合部５０Ａ）と、当該「他方の対角線Ｋ１（Ｋ２）」の他端側に位置する角部１３（若しくは、１４）の装着箇所Ｓに存在する雄型の接合具３０（雄型の接合部３０Ａ）とを接合する。
【０１００】
加えて、本体部１０の一方の対角線Ｋ２（若しくは、Ｋ１）の一端側に位置する角部１２（若しくは、１１）と、他端側に位置する角部１４（若しくは、１３）とにおいて、各々、同一の角部１２、１４（１１、１３）の装着箇所Ｓに存在する雄型の接合具３０（雄型の接合部３０Ａ）及び雌型の接合具５０（雌型の接合部５０Ａ）を「第１の接合態様」を用いて接合する。これにより、平面形状が略直角二等辺三角形（あたかも、餃子のような外形）で、２つの開口部６Ａ、６Ｂを備える使用形態が得られる。
【０１０１】
つまり、この第６の使用形態は、例えば、平面形状が略直角二等辺三角形（あたかも、餃子のような外形）を備えると共に、２つの開口部６Ａ、６Ｂを備える袋形状となる。即ち、図１７に示すように、この使用形態において、例えば、頂角部７Ａを上方側に配置し、底角部７Ｂ、７Ｃを下方側に配置すると、頂角部７Ａと一方の底角部７Ｂとの間に、一方の開口部６Ａが形成され、頂角部７Ａと他方の底角部７Ｃとの間に、他方の開口部６Ｂが形成される。
【０１０２】
尚、頂角部７Ａは、本体部１０の他方の対角線Ｋ１（若しくは、Ｋ２）の両端側に位置する両角部１１、１３（若しくは、１２、１４）の装着箇所Ｓに存在する接合具３０、５０を接合することで、当該両角部１１、１３（若しくは、１２、１４）を接合して構成される部分である。また、底角部７Ｂは、本体部１０の一方の対角線Ｋ２（若しくは、Ｋ１）の他端側に位置する角部１４（若しくは、１３）において、雄型の接合具３０（雄型の接合部３０Ａ）及び雌型の接合具５０（雌型の接合部５０Ａ）を「第１の接合態様」を用いて接合することで、当該角部１４（若しくは、１３）を接合して構成される部分である。更に、底角部７Ｃは、本体部１０の他方の対角線Ｋ１（若しくは、Ｋ２）の一端側に位置する角部１２（若しくは、１１）において、雄型の接合具３０（雄型の接合部３０Ａ）及び雌型の接合具５０（雌型の接合部５０Ａ）を「第１の接合態様」を用いて接合することで、当該角部１２（若しくは、１１）を接合して構成される部分である。
【０１０３】
この第６の使用形態では、開口部６Ａ、６Ｂから、本収納体１の内部（本収納体１を袋状の使用体形態とした場合の内部）に対して、種々の物品（宝石、眼鏡、ＩＣカード等）を挿入することができる。逆に、本収納体１の内部から、種々の物品（宝石、眼鏡、ＩＣカード等）を取り出すこともできる。しかも、この第６の使用形態では、頂角部７Ａと、２つの底角部７Ｂ、７Ｃとに、接合具３０、接合具５０を用いた接合箇所Ｒが構成されるため、本収納体１の内部の物品が誤って、本収納体１の外部に脱落すること（不用意に落下すること）を防止できる。このため、本収納体１を第６の使用形態とする場合には、当該収納体１を「搬送用の収納体（例えば、ハンドバッグの代用品）」としても、好適に使用できる。尚、この図１７の具体例では、展開した状態の本収納体１の収納面１０Ｂ上に、種々の物品（宝石、眼鏡、ＩＣカード等）を配置した後、本収納体１を第６の使用形態を構成してもよい。
【０１０４】
（３）実施例の効果
【０１０５】
本収納体１では、その本体部１０を形状変化が容易で、嵩張らない布材を用いて構成するため、時と場所を変えて使用することが容易である。例えば、この本収納体１を、旅行カバンやビジネスバックに存在する僅かな「空きスペース（例えば、本体部の厚み分の隙間）」に入れて搬送し、所望の使用箇所（旅行先の宿舎、出張先の宿舎）等で取り出して使用することができる。
【０１０６】
特に、本収納体１では、布材がフェルトを用いて構成されるため、本体部１０に変形を施すことがより一層、容易となる。このため、収納体１の組み立て作業がより一層、容易となる。また、本体部１０の復元性が向上するため、収納体１を展開形態としたときに、組み立て時の「折りくせ」や、折り目等が残り難くなり、当該展開形態の際の美観も向上する。また、本収納体１では、本体部１０をフェルトを用いて構成するため、その質感、風合い、肌触り等が向上し、収納体１としての品質が向上する。更に、布材をフェルトを用い構成し、本体部１０に衝撃吸収能力を付加するため、本収納体１を、貴金属（宝石等）の収納体１として用いる際に有益である。
【０１０７】
また、本収納体１では、本体部１０の各角部１１〜１４に雄型の接合部３０ａ及び雌型の接合部５０ａが配設される。しかも、雄型の接合部３０ａ及び雌型の接合部５０ａは、本体部１０の外縁部１０Ａを周回する方向に沿って交互に配設されるため、前述の「使用形態１〜使用形態６」に示すように、「現実の収納体１として好適な使用形態」を、複数通り実現することが容易である。つまり、本収納体１によると、単に、複数通りの使用形態を実現できるのではなく、現実の収納体１として好適な使用形態を複数通り実現することが容易である。
【０１０８】
即ち、本収納体１では、本体部１０の各角部１１〜１４に雄型の接合部３０Ａ及び雌型の接合部５０Ａが配設されるため、例えば、（１）同一の角部１１〜１４の雄型の接合部３０Ａ及び雌型の接合部５０Ａを接合して使用形態を構成したり、（２）１組の隣合う角部（１１及び１２等）の雄型の接合部３０Ａと雌型の接合部５０Ａとを接合して使用形態を構成したり、（３）２組の隣合う角部（１１及び１２と、１３及び１４）の雄型の接合部３０Ａと雌型の接合部５０Ａとを接合して使用形態を構成すること、（４）対向する２組の角部（１１及び１３と、１２及び１４）の雄型の接合部３０Ａと雌型の接合部５０Ａとを接合して使用形態を構成すること、等ができる。しかも、本収納体では、雄型の接合部３０Ａ及び雌型の接合部５０Ａは、本体部１０の外縁部１０Ａを周回する方向に沿って交互に配設されるため、異なる角部の雄型の接合部３０Ａと雌型の接合部５０Ａとを接合する際にも、本体部１０に無用の負担を掛けることがない。
【０１０９】
つまり、異なる角部の雄型の接合部３０Ａと雌型の接合部５０Ａとを接合する際にも、接合される雄型の接合部３０Ａと雌型の接合部５０Ａとの距離を短くできるため、本体部１０に大きな変形を与える必要がない。そして、本収納体１では、このように、複数の使用形態を実現しつつも、雄型の接合部３０Ａと雌型の接合部５０Ａとを接合するために、本体部１０に対して不必要な変形を与える必要がない。従って、本収納体１によって実現される複数の使用形態は、何れも、物品を収納する上で無理の無い好適な形態となる。よって、本収納体１によると、物品の収納体１として好適な使用形態を複数通り実現することができる。このように、本収納体１では、接合すべき雄型の接合部３０Ａ及び雌型の接合部５０Ａの組み合わせを種々選択し、物品の収納体１として好適な使用形態を複数通り実現することができる。
【０１１０】
更に、本収納体１では、本体部１０が布材を用いて構成され、種々の形状に変形することが容易である。また、本体部１０が、特に対称性に富んだ平面形状を備えるため、種々の形状に変形しても、使用者に違和感を与えることなく、良好な外観を備える。よって、本実施例では、接合される雄型の接合部３０Ａ及び雌型の接合部５０Ａの組み合わせを選択することで、種々の形状に変形することが容易であり、使用者に「飽き」を生じさせ難い。
【０１１１】
尚、本各発明の範囲は前記各実施例に示す具体的な態様に限定されず、本各発明の範囲内で種々の変形例を例示できる。
【０１１２】
本実施例では、本体部１０の平面形状を正方形としたが、略矩形（正方形を除いた略矩形）や、正六角形、正八角形等の多角形とすることもできる。また、本実施例では、外郭部材５２全体を「強磁性体」で構成したが、外郭部材５２のうちで、雌型の当接部５０Ｂを構成しない部位（周壁部５２ａ等）を、「非磁性体」によって構成した変形例（以下、「変形例１」という。）を例示することもできる。この変形例１は、ＩＣカード（クレジットカード）入れとして、好適に用いることができる。蓋し、永久磁石体５０が、被収納物に与える磁気の影響を少なくすることができるからである。
【０１１３】
更に、図示を省略するが、複数の収納体１を連結して使用する変形例（以下、「変形例２」という。）を例示することもできる。つまり、所定の収納体１の雄型の接合部３０Ａ（雌型の接合部５０Ａ）と、他の収納体１の雌型の接合部５０Ａ（雄型の接合部３０Ａ）とを接合する態様を例示することができる。この変形例２によると、複数の収納体１を連結して、大型の収納空間を形成できる。よって、被収納物が大型化した場合等に有効である。
【０１１４】
また、図１８（ａ）及び（ｂ）に示す変形例３のように、本体部１０の所定の部位に、折目溝（折目溝を構成する溝）１０Ｅを設けてもよい。例えば、本収納体１において、使用頻度が高い「使用形態」を構成する際に、本体部１０において折り曲げられる箇所に、折目溝１０Ｅを設けてもよい。この変形例３は、前述の「第１の使用形態（図１１）を実現する際に、本体部１０において折り曲げられる箇所に、折目溝１０Ｅを設ける態様」を例示している。但し、この折目溝１０Ｅは、本体部１０の収納面１０Ｂと外装面１０Ｃとの双方に設けてもよいし、一方に設けてもよい。
【産業上の利用可能性】
【０１１５】
本発明は、例えば、物品収納体の製造、販売、施工、加工等を行う分野で利用可能である。
【図面の簡単な説明】
【０１１６】
【図１】実施例の物品収納体（展開状態）の斜視図である。
【図２】実施例の物品収納体（展開状態）の平面図である。
【図３】（ａ）は本体部（展開状態）の平面図であり、（ｂ）は図３（ａ）の３−３断面である。
【図４】雄型の接合具と雌型の接合具を説明するための縦断面図である。
【図５】雌型の接合具の分解縦断面図である。
【図６】取付ベース部材（雄型の接合具）の分解縦断面図である。
【図７】雄型の接合具と雌型の接合具の接合状態を説明するための縦断面図である。
【図８】（ａ）は第１の接合態様を説明するための斜視図であり、（ｂ）は第１の接合態様を説明するための説明図である。
【図９】（ａ）は第２の接合態様を説明するための斜視図であり、（ｂ）は第２の接合態様を説明するための説明図である。
【図１０】第２の接合態様を構成する際の中間の状態を説明するための斜視図である。
【図１１】（ａ）及び（ｂ）は第２の接合態様を説明するための説明図である。
【図１２】実施例の物品収納体の「第１の使用形態」を示す斜視図である。
【図１３】実施例の物品収納体の「第２の使用形態」を示す斜視図である。
【図１４】実施例の物品収納体の「第３の使用形態」を示す斜視図である。
【図１５】実施例の物品収納体の「第４の使用形態」を示す斜視図である。
【図１６】実施例の物品収納体の「第５の使用形態」を示す斜視図である。
【図１７】実施例の物品収納体の「第６の使用形態」を示す斜視図である。
【図１８】（ａ）は変形例３に係る物品収納体の平面図であり、（ｂ）は図１６（ａ）の１６−１６断面図である。
【図１９】「角部」を説明するための説明図である。
【符号の説明】
【０１１７】
１；物品収納体（本収納体）、
１０；本体部、
１０Ａ；外縁部、
１１〜１４；角部、
３０；雄型の接続具、
３０Ａ；雄型の接続部、
３０Ｂ；雄型の当接部、
５０；雌型の接続具、
３０Ａ；雌型の接続部、
３０Ｂ；雌型の当接部、
Ｋ１、Ｋ２；対角線。
【図１】
2007029493.tif 000003
【図２】
2007029493.tif 000004
【図３】
2007029493.tif 000005
【図４】
2007029493.tif 000006
【図５】
2007029493.tif 000007
【図６】
2007029493.tif 000008
【図７】
2007029493.tif 000009
【図８】
2007029493.tif 000010
【図９】
2007029493.tif 000011
【図１０】
2007029493.tif 000012
【図１１】
2007029493.tif 000013
【図１２】
2007029493.tif 000014
【図１３】
2007029493.tif 000015
【図１４】
2007029493.tif 000016
【図１５】
2007029493.tif 000017
【図１６】
2007029493.tif 000018
【図１７】
2007029493.tif 000019
【図１８】
2007029493.tif 000020
【図１９】
2007029493.tif 000021